(57)【要約】【課題】カラー認識方法の提供。【解決手段】このカラー認識方法は、カラー学習相と、カラー認識相を包含する。該カラー学習相は、紙に印刷された複数のカラー画像を準備し、この複数のカラー画像の各カラー画像に関して、このカラーを代表するＲＧＢ成分のデジタル信号を取得し、このデジタル信号を、この画像に関係するオーディオファイルに結合し、並びにこのオーディオファイルを具えたデジタル信号を保存装置のデータベースに保存するステップを包含する。該カラー認識相は、紙に印刷されたカラー画像のＲＧＢ成分のデジタル信号を取得し、このカラー画像を代表するデジタル信号を、保存装置内に予め保存されたデータベースと比較し、マッチングする信号を探し出した時、それに結合されたオーディオファイルを再生する。【選択図】図１
2012185465.tif 000002
【特許請求の範囲】
【請求項１】
カラー認識方法において、カラー学習相と、カラー認識相を包含し、
該カラー学習相は、
少なくとも一枚の紙に印刷された複数のカラー画像を準備し、
該複数のカラー画像の各カラー画像に関して、そのカラーのＲＧＢ成分を代表するデジタル信号を取得し、
オーディオファイルを具えたデジタル信号を、関係する該カラー画像に連結し、
該連結されたオーディオファイルを具えた該デジタル信号をデータベース内に保存するステップを包含し、
該カラー認識相は、
紙に印刷されたカラー画像のＲＧＢ成分を代表するデジタル信号を取得し、
該カラー画像を代表するデジタル信号を該データベースと比較し、
マッチング信号を探し出した時、連結されたオーディオファイルを再生するステップを包含することを特徴とする、カラー認識方法。
【請求項２】
請求項１記載のカラー認識方法において、該マッチング信号を探し出せない時、予め設けられたオーディオファイルを再生するステップをさらに包含することを特徴とする、カラー認識方法。
【請求項３】
請求項１記載のカラー認識方法において、紙に印刷されたカラー画像のＲＧＢ成分を代表するデジタル信号を取得するステップは、さらに、
ＲＧＢカラーを有しシングルチップに制御されるＬＥＤを使用し、赤色光を該カラー画像に発射し、
受光素子を使用して該カラー画像からの反射光を受信し、
アナログデジタル変換器を使用して受信した該反射光の信号をデジタル信号に変換し、  緑色光と青色光に関してもそれぞれ以上の三つのステップを重複して行うことを特徴とする、カラー認識方法。
【請求項４】
請求項１記載のカラー認識方法において、カラー画像が印刷された該紙はさらに一つのカラー画像を包含し、該カラー画像は識別カラーを有し、該識別カラーはその他の印刷されたカラー画像を有する紙と区別するのに使用されることを特徴とする、カラー認識方法。
【請求項５】
請求項１記載のカラー認識方法において、
オーディオファイルを連結した該データベースは階層方式により構造化され、並びに該カラー画像により分類し、該カラー画像は該識別カラーを有し、且つその他の紙と区別するのに用いられることを特徴とする、カラー認識方法。
【発明の詳細な説明】
【技術分野】
【０００１】
本発明は、一種のカラー認識方法に係り、特に印刷教育材料に応用可能な経済的なカラー認識方法に関する。
【背景技術】
【０００２】
現在のデジタル教材には多元化の技術が使用され、それにより教材の内容が豊かにされ、児童は動的学習方式を更新して異なる科目を学習することができる。例えば、カラー認識技術にオーディオ出力を結合させることで、正確に児童に教材上の物体の色を認識させることができる。使用者が読み取り装置、例えばペン状の装置を、教材上に印刷された画像に置くとき、画像に関係する音声情報が再生される。こうして、使用者はこの音声内容を聞いて、それにより学習できる。ひいては、この教材に使用される技術は視覚障害者用の製品にも応用できる。
【０００３】
教材中のカラー認識を実現する伝統的な方式は、通常、マイクロスケール識別情報（ｍｉｃｒｏ−ｓｃａｌｅ  ｉｄｅｎｔｉｆｉｃａｔｉｏｎ  ｉｎｆｏｒｍａｔｉｏｎ）を有する特殊インクにより画像を印刷し、さらに電荷結合素子（ＣＣｄ）、電気顕微素子（ｅｌｅｃｔｒｏｎｉｃ  ｅｌｅｃｔｒｏｎ  ｍｉｃｒｏｓｃｏｐｙ  ｃｏｍｐｏｎｅｎｔ）、或いは光学認識（Ｏｐｔｉｃａｌ  Ｉｄｅｎｔｉｆｉｃａｔｉｏｎ，ＯＩＤ）素子を使用して、画像中に印刷されたこのマイクロスケール識別情報を読み取る。このカラー認識技術にはいくつかのよいところがある。たとえば、この技術は、複数の同じ顔色のオブジェクト（ｏｂｊｅｃｔ）を同じ紙に印刷でき、高い識別率（ｉｄｅｎｔｉｆｉｃａｔｉｏｎ  ｒａｔｅ）を提供し、並びに外部光源の影響を受けにくい。且つ、マイクロスケール識別情報は肉眼を用いて認識できず、このため保密性が高い。
【０００４】
しかし、このような技術のコストは高く、これは、特殊インクにより印刷しなければならず、さらに、その印刷過程は複雑であり、並びにその電子読み取り装置も高価であるためである。さらには、この電子読み取り装置は特殊インク以外で印刷された教材には使用できない。言い換えると、この電子読み取り装置は、特別に準備された材料にしか使用できず、一般的な印刷された紙には使用できない。よって多くの教材を買うほど、父母にかかる金銭的な負担は増す。これにより、経済的なカラー認識方法を設計して、生産コストを下げ、顧客と産業界の要求に応えることが急務である。
【発明の概要】
【発明が解決しようとする課題】
【０００５】
本発明の主要な目的は、一種の経済的なカラー認識方法を提供することにある。
【課題を解決するための手段】
【０００６】
本発明のある実施例は、一種のカラー認識方法を提供し、それは、カラー学習相（ｃｏｌｏｒ  ｌｅａｒｎｉｎｇ  ｐｈａｓｅ）と、カラー認識相（ｃｏｌｏｒ  ｒｅｃｏｇｎｉｔｉｏｎ  ｐｈａｓｅ）を包含する。該カラー学習相は、紙に印刷された複数のカラー画像を準備し、この複数のカラー画像の各カラー画像に関して、このカラーのＲＧＢ成分を代表するデジタル信号を取得し、このデジタル信号を、この画像に関係するオーディオファイルに結合し、並びにこのオーディオファイルを具えたデジタル信号を保存装置のデータベースに保存するステップを包含する。
【０００７】
該カラー認識相は、紙に印刷されたカラー画像のＲＧＢ成分のデジタル信号を取得し、このカラー画像を代表するデジタル信号を、該保存装置内に予め保存された該データベースと比較し、マッチングする信号を探し出した時、それに結合されたオーディオファイルを再生する。
【発明の効果】
【０００８】
本発明によると、この関係するオーディオファイルは、カラー、画像、或いは全ての画像に関係する教育目的の説明を包含し得る。このオーディオファイルは、すでに印刷された教材をまず準備するか、或いはカラー学習相により録音する。言い換えると、本発明はその学習能力により、使用者に、全てのカラー印刷インクを一種の教材に変換させることができ、ゆえに本発明は特別に印刷された材料を購入するのとは異なる。
【図面の簡単な説明】
【０００９】
【図１】本発明のカラー認識方法のフローチャートである。
【図２】本発明においてカラー画像を代表するＲＧＢ成分のデジタル信号を取得する動作を説明するフローチャートである。
【図３】本発明のカラー印刷絵本における実施例の表示図である。
【図４】本発明のカラー認識方法を応用したカラー認識装置の表示図である。
【発明を実施するための形態】
【００１０】
本発明の技術内容、構造特徴、達成する目的を詳細に説明するため、以下に実施例を挙げ並びに図面を組み合わせて説明する。
【００１１】
図１は本発明のカラー認識方法のフローチャートである。図１に示されるように、カラー学習相（ｃｏｌｏｒ  ｌｅａｒｎｉｎｇ  ｐｈａｓｅ）と、カラー認識相（ｃｏｌｏｒ  ｒｅｃｏｇｎｉｔｉｏｎ  ｐｈａｓｅ）を包含する。
【００１２】
該カラー学習相は、ステップ１１０−１４０を包含し、カラー認識相はステップ１５０−１７０を包含する。
【００１３】
該カラー学習相は、カラー画像のデータベースと、関係するオーディオファイルを準備するのに用いられ、このデータベースは後で該カラー認識相において使用される。
【００１４】
図１に示されるように、ステップ１１０において、少なくとも一枚の紙に印刷された複数のカラー画像を準備する。該紙に印刷された各該カラー画像は他のカラー画像と区別可能な識別カラーを有している必要がある。
【００１５】
ステップ１２０において、各該カラー画像の識別カラーのＲＧＢ成分を代表するデジタル信号を取得する。
【００１６】
ステップ１３０において、該デジタル信号を該カラー画像に関係するオーディオファイルに連結する。
【００１７】
ステップ１４０において、該オーディオファイルに結合した該デジタル信号を保存装置のデータベースに保存する。
【００１８】
こうして、本発明のカラー認識方法のカラー学習相が完成し、並びにデータベースの準備が完成する。
【００１９】
言い換えると、該データベースは、オーディオファイルを有する該カラー画像の該デジタル信号を代表する情報を保存する。
【００２０】
該オーディオファイルは印刷カラー画像を用いて準備しても、或いは使用者により録音されてもよく、これによりカスタマイズされた情報が各カラー画像に結合される。
【００２１】
ステップ１５０において、紙に印刷されたカラー画像の、ＲＧＢ成分を代表するデジタル信号を取得する。
【００２２】
ステップ１６０において、ステップ１４０で準備したデータベース中の該カラー画像を代表するデジタル信号をサーチする。
【００２３】
最後に、ステップ１７０において、該データベース中でマッチングするものを探し出して、関係するオーディオファイルを再生するか、マッチングするものがなければ、予め設けられたオーディオファイルを再生する。
【００２４】
この予め設けられたオーディオファイルは、標準メッセージ（ｓｔａｎｄａｒｄ  ｍｅｓｓａｇｅ）を伝送可能であり、該標準メッセージは、たとえば、「マッチングするカラーがありません」「この画像の情報がありません」のようなものとされるか、或いは、単純に無声とされる。
【００２５】
注意すべきことは、多くの方式によりカラー画像のＲＧＢ成分を代表するデジタル信号を取得することができ、それがステップ１２０−１５０において必要とされる。
【００２６】
本発明は以下の実施例により実現されるが、この実施例は説明のためのものであり、制限のために用いられるのではない。本発明のカラー認識方法は其の他の同等の実施方式において応用されて、同様の機能を提供できる。
【００２７】
図２は本発明においてカラー画像を代表するＲＧＢ成分のデジタル信号を取得する動作を説明するフローチャートである。
【００２８】
図２に示されるように、ステップ２１０において、ＲＧＢカラーを具えたシングルチップコントロールの（ｓｉｎｇｌｅ−ｃｈｉｐ  ｃｏｎｔｒｏｌｌｅｄ）ＬＥＤを使用して、赤色光線をカラー画像に発射する。
【００２９】
ステップ２２０において、受光素子（ｌｉｇｈｔ  ｒｅｃｅｉｖｉｎｇ  ｅｌｅｍｅｎｔ）を使用して、該カラー画像からの反射光を受信する。
【００３０】
ステップ２３０において、アナログデジタル変換器を使用し、受信した該反射光の信号をデジタル信号に変換する。このとき、該カラー画像のカラー中の、赤色成分を代表するデジタル信号を取得する。
【００３１】
各光線カラーに対して、上述のステップ２１０−２３０を繰り返し、すなわち、それぞれ緑色光と青色光を同じ該カラー画像に発射し、こうして該カラー画像の三つのカラー成分全てのデジタル信号を取得する。
【００３２】
該カラー画像のＲＧＢ成分を代表するデジタル信号を取得した後、該デジタル信号を該デジタル信号に対応するオーディオファイルに結合し、並びにたとえばカラー学習相において、該データベースに保存するか、或いは、カラー認識相において、該データベース中でマッチングするものがあるかを探すのに用いる。
【００３３】
注意すべきことは、さらに該データベースを強化できるということである。すなわち、階層方式（ｈｉｅｒａｒｃｈｉｃａｌ  ｍａｎｎｅｒ）により該カラーと該音声ファイルの連結を構造化し、これにより、カラー識別の能力を、たとえば分類の方式の方式を利用して、拡張できる。
【００３４】
図３は本発明のカラー印刷絵本における実施例の表示図である。図３に示されるように、該カラー印刷絵本はビーチを表示する画像３３０、故事を表示する画像３２０、及び多くの未表示の画像３３０、たとえば椰子の木、ヒトデを包含する。カラーとオーディオファイルを結合させたデータベースのカテゴリー、たとえば「ビーチ」のカテゴリー下にあって、「ビーチ」のカラー紙中の画像の識別カラー（ｄｉｓｔｉｎｃｔ  ｃｏｌｏｒｓ）は、その他のカラー紙中のその他の画像に使用され得る。
【００３５】
この方式で、ただカテゴリーを表示するカラーを有し、たとえば「ビーチ」は区分される必要があるが、こうして異なるカラー印刷の紙が、識別カラー表示を有して、その他と区分され得る。
【００３６】
これに類似し、サブカテゴリー、たとえば「故事」が、このデータベースのカラー能力を拡張するのに用いられるか、或いは、このカラー印刷の紙の内容の概要を提供する。
【００３７】
注意すべきことは、この実施例は説明のために用いられ、本発明を制限するものではなく、その他の類似の強化も、本発明の範囲内にカバーされる。
【００３８】
図４は本発明のカラー認識方法を応用したカラー認識装置の表示図である。図４に示されるように、該カラー認識装置は、プログラマブルオーディオシングルチップ４１０、受光素子４２０、ＲＧＢ  ＬＥＤ４３０、及びスピーカー４４０を包含する。
【００３９】
該プログラマブルオーディオシングルチップ４１０はさらに、アナログデジタル変換器４１１、ボイス及びメロディー合成器（ｖｏｉｃｅ  ａｎｄ  ｍｅｌｏｄｙ  ｓｙｎｔｈｅｓｉｚｅｒ）４１２、マイプロプロセッサ（ＭＣＵ）４１３、メモリ４１４、及び入出力（Ｉ／Ｏ）コントローラ４１５を包含する。
【００４０】
該カラー認識装置をオブジェクト４００に指向させると、ＲＧＢ  ＬＥＤ４３０が色光（順に赤色光、緑色光、青色光）をオブジェクトに向けて発射し、該受光素子４２０がオブジェクトが反射する光を受け取る。プログラマブルオーディオシングルチップ４１０のアナログデジタル変換器４１１はさらに、この反射光の信号を、デジタル信号に変換する。マイプロプロセッサ（ＭＣＵ）４１３は光発射、保存、サーチ、及びマッチング、オーディオファイル再生などを包含する全体の動作を制御し、メモリ４１４は前述のデータベースを保存する。
【００４１】
まとめると、本発明は便宜で経済的なカラー認識の別の方法を提供し、メーカーと顧客の両者のコストを減らし、並びに印刷された任意のカラー紙を顧客にカスタマイズさせて、教育材料へと変化させる。
【００４２】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００４３】
３１０  ビーチ
３２０  故事
３３０  画像
４００  オブジェクト
４１０  オーディオシングルチップ
４１１  アナログデジタル変換器
４１２  ボイス及びメロディー合成器
４１３  マイクロプロセッサ
４１４  メモリ
４１５  入出力コントローラ
４２０  受光素子
４３０  ＲＧＢ  ＬＥＤ
４４０  スピーカー
【図１】
2012185465.tif 000003
【図２】
2012185465.tif 000004
【図３】
2012185465.tif 000005
【図４】
2012185465.tif 000006